【事件の表示】
　特願２０１４−１７２４０４「画像記録装置」拒絶査定不服審判事件〔平成２６年１１月２０日出願公開、特開２０１４−２１８３８０〕について、次のとおり審決する。
【結　論】
　本件審判の請求は、成り立たない。
【理　由】
１　手続の経緯
　本願は、平成２２年６月１７日に出願した特願２０１０−１３８７７１号の一部を平成２６年８月２７日に新たな特許出願としたものであって、同年９月２６日に手続補正書が提出され、平成２７年７月１７日付けで拒絶理由が通知され、同年９月２８日に意見書と手続補正書が提出され、同年１２月１５日付けで拒絶査定（謄本送達日同月２２日）がなされ、平成２８年３月２２日に拒絶査定不服審判が請求されたものである。
２　本願発明
　本願の請求項１ないし７に係る発明は、平成２７年９月２８日に提出された手続補正書により補正された特許請求の範囲の請求項１ないし７に記載された事項により特定されるものと認められるところ、その請求項１に係る発明（以下「本願発明」という。）は、以下のとおりのものである。
　「シートに画像を記録するプリンタ部を有する画像記録装置であって、
　前記プリンタ部は、
　前記画像記録装置の背面側においてシートを下方から上方へＵターンさせて搬送する第１搬送路と、
　前記画像記録装置の背面から前記第１搬送路へ通ずる第２搬送路と、
　前記第１搬送路に案内されるシートを支持する給紙カセットと、
　前記画像記録装置の背面において起立姿勢及び傾倒姿勢に回動可能に設けられており、前記傾倒姿勢において前記第２搬送路に案内されるシートを支持するトレイと、
　前記第２搬送路に侵入した異物を取り込んで貯留する異物収集部、及び、前記異物収集部に設けられ前記第２搬送路を案内されるシートをガイドする複数のリブを備えた搬送処理構造体と、を有し、
　前記搬送処理構造体は、前記複数のリブによって前記第２搬送路を案内されるシートをガイドするガイド姿勢及び前記異物収集部を前記画像記録装置外部へ露出させる露出姿勢に回動可能であることを特徴とする画像記録装置。」
３　刊行物
（１）特開平１０−２９７７９４号公報（以下「引用例１」という。）
　原査定の拒絶の理由で引用された引用例１には、以下の記載がある（下線は当審にて付した。以下同様。）。
ア　「【０００８】まず、本発明のジャムアクセスカバーを備えた
電子写真式画像記録装置
プロセスユニットＰＵが、画像記録装置Ｐの上部に配設され、
イ　「【００１０】ドラムユニット１０の下流側には、用紙に転写されたトナー像を定着するための定着ユニット６が配設され、該定着ユニット６は互いに圧接された加熱ローラ６１と加圧ローラ６２とで構成されている。ドラムユニット１０の上流側には、フィードローラ７１・７９、ピックアップローラ７３、下ガイド７８、及び上ガイド７７などから構成される
用紙搬送経路７が設けられて、給紙カセット７４から繰り出された用紙を、プロセスユニットＰＵが設置されたプロセス部へ搬送する
【００１１】前記フィードローラ７９は駆動ローラ７５と従動ローラ７２とで構成され、該従動ローラ７２はジャムアクセスカバー９１に取付けられている。
ジャムアクセスカバー９１は、回動支点９１ａを中心にして外側方向へ回動可能に構成して、該ジャムアクセスカバー９１上部には手差し用紙用の用紙搬送路８０が形成され、手差し供給口８０ａから供給された手差し用紙を該用紙搬送路８０によりプロセス部へ搬送する。
ジャムアクセスカバー９１上方の装置本体２１には手差しトレイ８６を取付けて、手差し供給口８０ａから供給する用紙を支持可能にしている。
ウ　「【００１３】次に、ジャムアクセスカバーについて図２、図３により説明する。まず、給紙カセット７４内に堆積した用紙は、押し上げ板７４ａにより給紙カセット７４の上方に設けたピックアップローラ７３に押接され、該給紙カセット７４内の最上部に位置する用紙は、ピックアップローラ７３の回転動作に伴って、分離爪７４ｂにより他の用紙と分離されるとともに、図２における右側へ繰り出される。
給紙カセット７４の用紙繰り出し方向には用紙搬送経路７を形成しており、該用紙搬送経路７は上方へ屈曲して、その後プロセスユニットＰＵが配置されたプロセス部まで延設して、略Ｕ字状に形成し、給紙カセット７４端部から繰り出された用紙を、プロセス部まで搬送する
エ　「【００１５】ジャムアクセスカバー９１の上部には
手差し供給口８０ａを設けて、該手差し供給口８０ａから用紙を手差しによって装置へ供給し、用紙搬送路８０を通過して前記プロセス部へ案内するようにしている。
用紙搬送路８０はジャムアクセスカバー９１とフレーム２８とによって形成され、該用紙搬送路８０の先端は前記用紙搬送経路７と合流している。
フレーム２８に配設した駆動ローラ８５と、ジャムアクセスカバー９１に取付けた従動ローラ８２
によって手差し供給口８０ａから供給された用紙をプロセス部へ搬送する
オ　「【００１７】そして、ジャムアクセスカバー９１は、回動支点９１ａを中心として装置外側方向へ回動可能に構成している。
前記用紙搬送路７及び用紙搬送路８０の一方の路壁はジャムアクセスカバー９１によって形成されており、
ジャムアクセスカバー９１を装置外側方向へ回動することで、用紙搬送路７・８２が外部に開放される。
　上記イの【００１０】及びウ、エには「用紙搬送経路７」との記載がある一方、オには「用紙搬送路７」との記載があるが、これらは同一の意味であることは自明である。また、オには「用紙搬送路７・８２」との記載があるが、これは「用紙搬送路７・８０」の誤記であることは自明である。
　したがって、上記アないしオの記載を総合すると、引用例１には以下の発明（以下「引用発明１」という。）が記載されている。
　「電子写真式画像記録装置であって、プロセスユニットが、画像記録装置の上部に配設され、
　用紙搬送路７が設けられて、給紙カセットから繰り出された用紙を、プロセスユニットが設置されたプロセス部へ搬送し、
　ジャムアクセスカバーは、回動支点を中心にして外側方向へ回動可能に構成して、該ジャムアクセスカバー上部には手差し用紙用の用紙搬送路８０が形成され、手差し供給口から供給された手差し用紙を該用紙搬送路８０によりプロセス部へ搬送し、
　ジャムアクセスカバー上方の装置本体には手差しトレイを取付けて、手差し供給口から供給する用紙を支持可能にし、
　給紙カセットの用紙繰り出し方向には用紙搬送路７を形成しており、該用紙搬送路７は上方へ屈曲して、その後プロセスユニットが配置されたプロセス部まで延設して、略Ｕ字状に形成し、給紙カセット端部から繰り出された用紙を、プロセス部まで搬送し、
　該手差し供給口から用紙を手差しによって装置へ供給し、用紙搬送路８０を通過して前記プロセス部へ案内し、
　用紙搬送路８０はジャムアクセスカバーとフレームとによって形成され、該用紙搬送路８０の先端は前記用紙搬送路７と合流し、
　フレームに配設した駆動ローラと、ジャムアクセスカバーに取付けた従動ローラによって手差し供給口から供給された用紙をプロセス部へ搬送し、
　用紙搬送路７及び用紙搬送路８０の一方の路壁はジャムアクセスカバーによって形成されており、ジャムアクセスカバーを装置外側方向へ回動することで、用紙搬送路７、８０が外部に開放される電子写真式画像記録装置。」
（２）実願昭５７−２１３５７号（実開昭５８−１２３８４３号）のマイクロフィルム（以下「引用例２」という。）
　原査定の拒絶の理由で引用した引用例２には、以下の記載がある。
ア　「３．考案の詳細な説明
　本考案は、マイクロフィルムカメラ、
複写機等の画像記録装置
に適用するシート送り込みのための給送ガイドの構造に関するものである。
イ　「ところでこのような給送ガイド機構をもつ種々の装置に送り込みするシートは、一般にその複数枚のクリップ、虫ピン等によりとじてあるものが多く、これらのシートを一枚一枚給送口から本体の装置内に送り込むためにクリップ等を前記給送口付近で外す作業をすることにより、これら
クリップ等を給送口へ落したり、あるいは外し忘れたりした場合にこれ
本体装置内に入って送りローラーを傷つけたり、装置をこわしてしまうことがあった。
　そこで本考案は、給送ガイド上に落とされることのある
異物が本体装置内に入り込まないようにすることを目的としてなされたものである。
ウ　「図において１は給送ガイドであり、本体装置の給送口に配置された上送りローラー２および下送りローラー３が形成するニップ部に対して、シート（図示せず）を滑り込ませるように傾斜したガイド面を備えている。そしてこの
給送ガイド１のガイド面にはシート搬送方向に沿って複数本のガイド底上げ用のリブ１’、１’…が形成されている。
　４は、前記
給送ガイド１の傾斜下縁部に形成された箱溝状の異物受けであり、
　このような構成によれば、
給送シート（図示せず）はリブ１’、１’…上に載せられた状態で給送ガイド１を滑り落ちて一対の送りローラー２、３に挟み込まれて本体装置内に送り込まれる。
　他方、給送ガイド１上に落されることのある
異物は、リブ１’、１’…の間に落ちて滑り落ち、給送ガイド１の傾斜下縁部に設けた異物受け４内に入り、
　上記アないしウの記載を総合すると、引用例２には以下の発明（以下「引用発明２」という。）が記載されている。
　「複写機等の画像記録装置に適用するシート送り込みのための給送ガイドの構造に関するものであり、クリップ等の異物が本体装置内に入って送りローラーを傷つけたり、装置をこわしてしまうことがあるため、異物が本体装置内に入り込まないようにすることを目的としてなされたものであって、給送ガイドのガイド面にはシート搬送方向に沿って複数本のガイド底上げ用のリブが形成され、給送ガイドに箱溝状の異物受けが形成され、給送シートはリブ上に載せられた状態で給送ガイドを滑り落ちて一対の送りローラーに挟み込まれて本体装置内に送り込まれ、異物は、リブの間に落ちて滑り落ち、給送ガイドの傾斜下縁部に設けた異物受け内に入る給送ガイド。」
４　対比・判断
　本願発明と引用発明１とを対比すると、引用発明１の「用紙」は本願発明の「シート」に相当する。
　引用発明１の「電子写真式画像形成装置」は本願発明の「画像記録装置」に相当する。
　引用発明１の「用紙搬送路７」は、「上方へ屈曲して、その後プロセスユニットが配置されたプロセス部まで延設して、略Ｕ字状に形成」されているから、本願発明の「シートを下方から上方へＵターンさせて搬送する第１搬送路」に相当する。
　引用発明１の「用紙搬送路８０」は、「該用紙搬送路８０の先端は前記用紙搬送経路と合流」するから、本願発明の「第１搬送路へ通ずる第２搬送路」に相当する。
　引用発明１の「給紙カセット」は、「用紙繰り出し方向には用紙搬送路７を形成して」いるから、本願発明の「第１搬送路に案内されるシートを支持する給紙カセット」に相当する。
　引用発明１の「手差しトレイ」は、「手差し供給口から供給する用紙を支持可能」とするとともに、「手差し供給口から用紙を手差しによって装置へ供給し、用紙搬送路８０を通過して前記プロセス部へ案内」されるから、本願発明の「第２搬送路に案内されるシートを支持するトレイ」に相当する。
　引用発明１では、「ジャムアクセスカバー上部には手差し用紙用の用紙搬送路が形成」され、「用紙搬送路８０はジャムアクセスカバーとフレームとによって形成」され、また、「用紙搬送路８０の一方の路壁はジャムアクセスカバーによって形成」されるから、引用発明１の「ジャムアクセスカバー」は、本願発明の「第２搬送路を案内されるシートをガイドする」「搬送処理構造体」に相当する。
　引用発明１では、「ジャムアクセスカバーを装置外側方向へ回動することで、用紙搬送路７、８０が外部に開放される」から、引用発明１の「ジャムアクセスカバー」は、本願発明１の「第２搬送路を案内されるシートをガイドするガイド姿勢」及び「画像記録装置外部へ露出させる露出姿勢に回動可能である」「搬送処理構造体」に相当する。
　引用発明１の「電子写真式画像形成装置」は、「プロセスユニットが配置されたプロセス部」、「用紙搬送路７」、「用紙搬送路８０」、「紙カセット」、「手差しトレイ」、「ジャムアクセスカバー」を備え、これらを使用して「用紙」に画像を記録するプリンタ部を形成していることは自明であるから、引用発明１は、本願発明１の「第１搬送路」、「第２搬送路」、「給紙カセット」、「トレイ」、「搬送処理構造体」を有する「シートに画像を記録するプリンタ部」を有しているといえる。
　以上より、本願発明と引用発明１とは
　「シートに画像を記録するプリンタ部を有する画像記録装置であって、
　前記プリンタ部は、
　シートを下方から上方へＵターンさせて搬送する第１搬送路と、
　前記第１搬送路へ通ずる第２搬送路と、
　前記第１搬送路に案内されるシートを支持する給紙カセットと、
　前記第２搬送路に案内されるシートを支持するトレイと、
　前記第２搬送路を案内されるシートをガイドする搬送処理構造体と、を有し、
　前記搬送処理構造体は、前記第２搬送路を案内されるシートをガイドするガイド姿勢及び前記画像記録装置外部へ露出させる露出姿勢に回動可能である画像記録装置。」
である点で共通し、以下の点で相違する。
（相違点１）
　本願発明では、「画像記録装置の背面側」においてシートを下方から上方へＵターンさせており、また、第２搬送路が「画像記録装置の背面」から通じており、「画像記録装置の背面」にトレイが設けられているが、引用発明１ではいずれの面側でシートを下方から上方へＵターンさせているか、第２搬送路がいずれの面から通じているのか、及び、いずれの面にトレイが設けられているか不明である点。
（相違点２）
　本願発明では、「トレイ」が「起立姿勢及び傾倒姿勢に回動可能に設けられており、前記傾倒姿勢において第２搬送路に案内される」のに対し、引用発明１ではそうではない点。
（相違点３）
　本願発明では、搬送処理構造体が「第２搬送路に侵入した異物を取り込んで貯留する異物収集部」、及び「異物収集部に設けられ」た「複数のリブ」を備え、露出姿勢において「異物収集部」を画像記録装置外部へ露出させるのに対し、引用発明１はそうではない点。
　以下、相違点１ないし３について検討する。
（１）相違点１について
　引用発明１において、シートを下方から上方へＵターンさせる搬送路をどの面に形成するか、第２搬送路をどの面から通ずるようにするか、あるいはトレイを設ける面をどの面にするかは、装置の各面から当業者が適宜選択できる設計的事項であるから、裏面を選択することは当業者が容易に想到し得るものである。
　したがって、引用発明１において、「画像記録装置の背面側」においてシートを下方から上方へＵターンさせて、また、第２搬送路が「画像記録装置の背面」から通じており、「画像記録装置の背面」にトレイが設けられるようにすることは、当業者が容易に想到し得たものである。
　相違点１に係る本願発明の効果について検討しても、引用発明１から当業者が予想し得る範囲のものである。
（２）相違点２について
　画像記録装置の技術分野において、「トレイ」が「起立姿勢及び傾倒姿勢に回動可能に設けられており、前記傾倒姿勢において第２搬送路に案内される」ことは、当業者に周知の事項（以下「周知事項１」という。）である。
　周知事項１が周知であることを示す刊行物の例として、特開平６−１１０２７８号公報（以下「周知例１」という。）について検討すると、周知例１には以下の記載がある。
　「【００１２】また、画像処理部１２と給紙部３８との間すなわち複写機１０の側面には、手差しテーブル６０が形成される。
手差しテーブル６０は、
折り畳み式に形成され、未使用時すなわち手差しテーブル６０を折り畳んだ状態
一層小型化する。したがって、用紙を手差しによって供給する場合には、図５に示すように、手差しテーブル６０を開いた
　上記記載より、周知例１には以下の事項が記載されている。
　「手差しテーブルは、折り畳み式に形成され、未使用時には手差しテーブルを折り畳んだ状態として一層小型化し、用紙を手差しによって供給する場合には、手差しテーブルを開くこと。」
　そして、引用発明１に対して周知事項１を適用して、「トレイ」が「起立姿勢及び傾倒姿勢に回動可能に設けられており、前記傾倒姿勢において第２搬送路に案内される」ようにすることは、当業者が容易に想到し得たものである。
　相違点２に係る本願発明の効果について検討しても、引用発明１および周知事項１から当業者が予想し得る範囲のものである。
（３）相違点３について
　引用発明２の「箱溝状の異物受け」は、本願発明の「異物を取り込んで貯留する異物収集部」に相当する。また、引用発明２において、「異物は、リブの間に落ちて滑り落ち、給送ガイドの傾斜下縁部に設けた異物受け内に入る」から、「複数本のガイド底上げ用のリブ」は、「異物受け」に設けられていることは自明である。したがって、引用発明２の「複数本のガイド底上げ用のリブ」は、本願発明の「異物収集部に設けられ」た「複数のリブ」に相当する。よって、引用発明２は、本願発明の「異物を取り込んで貯留する異物収集部」及び「異物収集部に設けられ」た「複数のリブ」を備えている。
　一方、「シートを支持するトレイ」を備えた「画像記録装置」において、「異物が本体装置内に入ってローラーを傷つけたり、装置を壊してしまうことがあるため、異物が本体装置内に入り込まないようにする」という課題は周知のものである（以下「周知の課題」という。）。当該課題が記載されている刊行物の例として、特開平２−１３５４２号公報（以下「周知例２」という。）には、以下の記載がある。
ア　「この発明は、
複写機、ファクシミリ、プリンタ等の用紙を使用する装置
イ　「また、固定式の
手差しテーブルを使用している手差し用紙挿入部
クリップ等
が用紙挿入部の奥まで達することがあり、
給紙系に損傷を与えたり、
重大な故障の原因となることもあるという問題点があった。
　
　上記ア、イの記載からすると、周知例２には、「複写機、ファクシミリ、プリンタ等の用紙を使用する装置に関し、手差しテーブルを使用している手差し用紙挿入部において、クリップ等が用紙挿入部の奥まで達することがあり、給紙系に損傷を与えたり、重大な故障の原因となることもあるという問題点があった。」という事項が記載されている。
　上記のとおり、「シートを支持するトレイ」を備えた「画像記録装置」において、「異物が本体装置内に入ってローラーを傷つけたり、装置を壊してしまうことがあるため、異物が本体装置内に入り込まないようにする」という課題は周知のものであるから、引用発明１においても当該課題が内在することは自明である。したがって、引用発明１と引用発明２とは課題が共通するものであるから、引用発明１が有する課題を解決するために、引用発明２に基づいて、「異物を取り込んで貯留する異物収集部」及び「異物収集部に設けられ」た「複数のリブ」を、「搬送処理構造体」の「第２搬送路を案内されるシートをガイドする」部分に設けることは、当業者が容易に想到し得たものである。また、「搬送処理構造体」の「第２搬送路を案内されるシートをガイドする」部分に「異物収集部」を設ければ、「露出姿勢」において「異物収集部」は「画像記録装置外部へ露出」することは自明である。
　よって、引用発明１において、引用発明２に基づいて、「搬送処理構造体が第２搬送路に侵入した異物を取り込んで貯留する異物収集部、及び異物収集部に設けられた複数のリブを備え、露出姿勢において異物収集部を画像記録装置外部へ露出させる」ようにすることは、当業者であれば容易に想到し得たものである。
　相違点３に係る本願発明の効果について検討しても、引用発明１、２から予想できる範囲のものである。
　また、本願発明全体が奏する効果について検討しても、引用発明１、２、及び周知事項１から当業者が予想できる範囲のものである。
５　むすび
　以上のとおり、本願発明は、引用発明１、２、及び周知事項１に基づいて、当業者が容易に発明をすることができたものであるから、特許法第２９条第２項の規定により、特許を受けることができない。
　よって、結論のとおり審決する。